(57)【要約】【課題】吊り戸棚とレンジフードの下端を合わせて設置することを可能ならしめる位置決め用部材、該位置決め用部材を用いて所定の位置に確実に取り付けられる固定用治具、および、該設置固定用治具を用いて所定の位置にレンジフードを設置することが可能なレンジフードの設置固定方法を提供する。【解決手段】吊り戸棚４１の下端と当接する当接部２２と、設置固定用治具３０を取り付けるべき位置を表示する取付位置表示部２４とを備え、主要部が剛性を有する紙系材料および／または樹脂系材料を用いて形成され、かつ、当接部２２が、吊り戸棚４１の下端と当接することにより、取付位置表示部２４により表示された設置固定用治具３０を取り付けるべき位置が、吊り戸棚４１との関係において、垂直方向の所定位置に保持されるように構成された位置決め用部材を用いる。【選択図】図４
2014173796.tif 000002
【特許請求の範囲】
【請求項１】
レンジフードを吊り戸棚と水平方向に隣り合うように設置するにあたって、前記レンジフードを設置固定するための設置固定用治具を所定の位置に取り付ける際に用いられる位置決め用部材であって、
前記吊り戸棚の下端と当接する当接部と、前記設置固定用治具を取り付けるべき位置を表示する取付位置表示部とを備え、
主要部が剛性を有する紙系材料および／または樹脂系材料を用いて形成され、かつ、
前記当接部が、前記吊り戸棚の下端と当接することにより、前記取付位置表示部により表示される前記設置固定用治具を取り付けるべき位置が、前記吊り戸棚との関係において、前記水平方向に直交する垂直方向の所定位置に保持されるように構成されていること
を特徴とする位置決め用部材。
【請求項２】
前記当接部が、前記水平方向に沿う方向である左右方向に幅広に構成された部材本体の、左右の端部の少なくとも一方から水平方向に突出するように形成されていることを特徴と請求項１記載の位置決め用部材。
【請求項３】
前記当接部が、前記部材本体の、左右の端部の両方から水平方向に突出するように形成されていることを特徴と請求項１記載の位置決め用部材。
【請求項４】
前記当接部が、水平方向寸法が、前記部材本体の水平方向寸法の５０％以上である長寸の帯状部として構成されていることを特徴とする請求項１〜３のいずれかに記載の位置決め用部材。
【請求項５】
長寸の帯状部として構成された前記当接部の、前記水平方向の所定の位置には、前記当接部の、該位置より先端側の部分を容易に切り離すことを可能にするための切り離し予備加工が施されていることを特徴とする請求項４記載の位置決め用部材。
【請求項６】
前記取付位置表示部が切り欠き部であることを特徴とする請求項１〜５のいずれかに記載の位置決め用部材。
【請求項７】
前記設置固定用治具が、前記取付位置表示部により表示された前記設置固定用治具を取り付けるべき位置に予め取り付けられていることを特徴とする請求項１〜６のいずれかに記載の位置決め用部材。
【請求項８】
前記設置固定用治具が、前記切り欠き部に粘着テープを用いて取り付けられていることを特徴とする請求項６記載の位置決め用部材。
【請求項９】
請求項１〜８のいずれかに記載の位置決め用部材により位置決めされた所定の位置に固定される前記設置固定用治具であって、
前記位置決め用部材により位置決めされ、治具固定手段によりその位置に固定された状態で、前記レンジフードが備える係合部と係合することにより、前記レンジフードを仮止め保持する係止部を備え、かつ、
前記仮止め保持した状態の前記レンジフードを、前記吊り戸棚との関係において、所定の垂直方向位置に保ちつつ、水平方向の位置調整を行うことができるような態様で、前記係止部と、前記レンジフードの前記係合部とが係合するように構成されていること
を特徴とする設置固定用治具。
【請求項１０】
請求項１〜８のいずれかに記載の位置決め用部材により位置決めされ、所定の位置に固定された請求項９記載の設置固定用治具の前記係止部に、レンジフードが備える係合部を係合させ、前記レンジフードを、前記吊り戸棚との関係において、所定の垂直方向位置に保ちつつ、水平方向の位置調整を行うことができるような態様で仮止め保持する工程と、
仮止め保持された前記レンジフードの水平方向位置を調整して位置決めを行う工程と、
位置決めされた前記レンジフードを、本体固定手段によりその位置に固定する工程と
を備えていることを特徴とするレンジフードの設置固定方法。
【発明の詳細な説明】
【技術分野】
【０００１】
本発明は、レンジフードを設置固定するための設置固定用治具を所定の位置に取り付けるために用いられる位置決め用部材、それにより所定の位置に取り付けられる設置固定用治具、および、それを用いたレンジフードの設置固定方法に関する。
【背景技術】
【０００２】
レンジフードを設置する技術としては、例えば、図１６に示すように、隣接する吊り戸棚１０５の下端が当接する水平面と、壁面に固定される垂直面とによりＬ字形に形成された取付金具１０２を、吊り戸棚１０５の下端に当てがった状態で固定し、固定された取付金具１０２の水平面にレンジフード１０３の下端を載置し、取り付けるようにしたレンジフード取付装置が提案されている（特許文献１参照）。
【０００３】
しかしながら、上記のレンジフード取付装置を用いてレンジフード１０３を取り付けた場合、吊り戸棚１０５の下端にレンジフード１０３の下端を合わせて設置することはできるが、レンジフード１０３を取り付けた後に、取付金具１０２の水平面（水平部）が吊り戸棚１０５の下端に露出することになるため、露出した取付金具１０２が外観を損なうという問題点がある。
【先行技術文献】
【特許文献】
【０００４】
【特許文献１】特開平７−１２００３９号公報
【発明の概要】
【発明が解決しようとする課題】
【０００５】
本発明は、上記の課題を解決するものであり、レンジフードを設置するにあたって、吊り戸棚とレンジフードの下端を合わせて設置すること、および、美観を損なうことなく、効率よくレンジフードを設置することを可能ならしめることができる位置決め用部材、該位置決め用部材を用いて所定の位置に確実に取り付けられる固定用治具、および、該設置固定用治具を用いて所定の位置に美観を損なうことなくレンジフードを設置することが可能なレンジフードの設置固定方法を提供すること目的とする。
【課題を解決するための手段】
【０００６】
上記の目的を達成するために、本発明の位置決め用部材は、
レンジフードを吊り戸棚と水平方向に隣り合うように設置するにあたって、前記レンジフードを設置固定するための設置固定用治具を所定の位置に取り付ける際に用いられる位置決め用部材であって、
前記吊り戸棚の下端と当接する当接部と、前記設置固定用治具を取り付けるべき位置を表示する取付位置表示部とを備え、
主要部が剛性を有する紙系材料および／または樹脂系材料を用いて形成され、かつ、
前記当接部が、前記吊り戸棚の下端と当接することにより、前記取付位置表示部により表示される前記設置固定用治具を取り付けるべき位置が、前記吊り戸棚との関係において、前記水平方向に直交する垂直方向の所定位置に保持されるように構成されていること
を特徴としている。
【０００７】
本発明の位置決め用部材においては、前記当接部が、前記水平方向に沿う方向である左右方向に幅広に構成された部材本体の、左右の端部の少なくとも一方から水平方向に突出するように形成されている構成とすることができる。
【０００８】
また、本発明の位置決め用部材においては、前記当接部が、前記部材本体の、左右の端部の両方から水平方向に突出するように形成されていてもよい。
【０００９】
また、本発明の位置決め用部材においては、前記当接部が、水平方向寸法が前記部材本体の水平方向寸法の５０％以上である長寸の帯状部として構成されていてもよい。
【００１０】
また、本発明の位置決め用部材は、長寸の帯状部として構成された前記当接部の、前記水平方向の所定の位置に、前記当接部の、該位置より先端側の部分を容易に切り離すことを可能にするための切り離し予備加工が施されている構成とすることができる。
【００１１】
また、本発明の位置決め用部材においては、前記取り付け位置表示部が切り欠き部であるような構成であってもよい。
【００１２】
また、本発明の位置決め用部材においては、前記設置固定用治具が、前記取付位置表示部により表示された前記設置固定用治具を取り付けるべき位置に予め取り付けられていてもよい。
【００１３】
また、本発明の位置決め用部材においては、前記設置固定用治具が、前記切り欠き部に粘着テープを用いて取り付けられていてもよい。
【００１４】
また、本発明の設置固定用治具は、
請求項１〜８のいずれかに記載の位置決め用部材により位置決めされた所定の位置に固定される前記設置固定用治具であって、
前記位置決め用部材により位置決めされ、治具固定手段によりその位置に固定された状態で、前記レンジフードが備える係合部と係合することにより、前記レンジフードを仮止め保持する係止部を備え、かつ、
前記仮止め保持した状態の前記レンジフードを、前記吊り戸棚との関係において、所定の垂直方向位置に保ちつつ、水平方向の位置調整を行うことができるような態様で、前記係止部と、前記レンジフードの前記係合部とが係合するように構成されていること
を特徴としている。
【００１５】
また、本発明のレンジフードの設置固定方法は、
請求項１〜８のいずれかに記載の位置決め用部材により位置決めされ、所定の位置に固定された請求項９記載の設置固定用治具の前記係止部に、レンジフードが備える係合部を係合させ、前記レンジフードを、前記吊り戸棚との関係において、所定の垂直方向位置に保ちつつ、水平方向の位置調整を行うことができるような態様で仮止め保持する工程と、
仮止め保持された前記レンジフードの水平方向位置を調整して位置決めを行う工程と、
位置決めされた前記レンジフードを、本体固定手段によりその位置に固定する工程と
を備えていることを特徴としている。
【発明の効果】
【００１６】
本発明の位置決め用部材は、吊り戸棚の下端と当接する当接部と、設置固定用治具を取り付けるべき位置を表示する取付位置表示部とを備え、主要部が剛性を有する紙系材料および／または樹脂系材料を用いて形成され、かつ、当接部が、吊り戸棚の下端と当接することにより、取付位置表示部により表示された設置固定用治具を取り付けるべき位置が、吊り戸棚との関係において、垂直方向の所定位置に保持されるように構成されており、当接部が吊り戸棚の下端と当接することで、取付位置表示部により表示される設置固定用治具を取り付けるべき位置が、吊り戸棚との関係において定まる。
したがって、この位置決め用部材を用いて、上記設置固定用治具を、例えば、設置固定用治具を用いて設置固定されるレンジフードの下端の垂直方向位置が、吊り戸棚の下端の垂直方向位置と一致するような所定位置に設置固定し、この設置固定用治具にレンジフードを固定することにより、容易かつ確実に、下端の位置が吊り戸棚の下端の位置に一致するようにレンジフードを設置することができる。
また、本発明の位置決め用部材を用いることにより、必要に応じて、レンジフードを、その下端と吊り戸棚の下端の位置を意図するだけずらして所定の位置に設置することができる。
【００１７】
また、本発明においては、当接部を、水平方向に沿う方向である左右方向に幅広に構成された部材本体の、左右の端部の少なくとも一方から水平方向に突出するように形成するだけで、容易かつ確実にレンジフードを吊り戸棚と水平方向に隣り合う位置に下端を揃えて設置することができる。
なお、上述の部材本体の左右の端部の一方にのみ当接部を設けた場合にも、その当接部と吊り戸棚の下端とを複数位置で当接させたり、部材本体の左右の端部（垂直辺）と、吊り戸棚の側面（垂直側面）とを当接させたりすることにより、設置固定用治具を取り付けるべき位置を表示する取付位置表示部と、吊り戸棚の下端との垂直方向の位置関係を定めることができるため、部材本体の左右の端部の一方にのみ当接部を設けた場合にも、レンジフードを所望の位置に設置することが可能になり、吊り戸棚とレンジフードの下端の位置を合わせて設置することができるようになる。
【００１８】
また、当接部を、部材本体の、左右の端部の両方から水平方向に突出するように形成した場合、２本の吊り戸棚の下端に、左右の当接部をそれぞれ当接させて位置決めを行うことが可能になり、さらに確実に２本の吊り戸棚の間の空間の所定の位置に、それぞれの下端の位置を合わせてレンジフードを美しく設置することが可能になる。
【００１９】
また、本発明の位置決め用部材において、当接部を、その水平方向寸法が部材本体の水平方向寸法の５０％以上である長寸の帯状部とすることにより、一つの当接部のみを吊り戸棚の下端に当接させるようにした場合にも、長寸、帯状の当接部の上辺の水平方向に延びた辺が吊り戸棚の下端に当接して、取付位置表示部の位置決め精度が向上するため、２本の吊り戸棚の間にレンジフードを設置する場合はもちろん、１本の吊り戸棚に隣り合うようにレンジフードを設置する場合にも、レンジフードを、その下端が吊り戸棚の下端に正確に合うように美しく設置することが可能になる。
なお、当接部の水平方向寸法を、部材本体の水平方向寸法の５０％以上とすることが好ましいのは、当接部の水平方向寸法が部材本体の水平方向寸法の５０％以上あれば、一つの当接部のみを吊り戸棚の下端に当接させるようにした場合にも、吊り戸棚との関係において、位置決め用部材を、垂直方向の所定位置に、実用上問題のない精度で保持することが可能になることによる。
【００２０】
また、長寸の帯状部として構成された当接部の、水平方向の所定の位置に、当接部の、該位置より先端側の部分を容易に切り離することができるようにするための切り離し予備加工を施すことにより、例えば、２本の吊り戸棚の間の空間にレンジフードを設置する場合であって、部材本体の左右両端に当接部が設けられている場合に、切り離し予備加工を施した位置で、当接部の切り離し予備加工が施された位置より先端側の部分を切り離すことにより、当接部の不要部分がレンジフードの設置作業の邪魔にならないようにして、レンジフードの取付作業を円滑に行うことが可能になる。
なお、切り離し予備加工としては、切り込みを入れる加工や、ミシン目を形成する加工などが例示されるが、これらに限らず、さらに他の加工であってもよい。
【００２１】
また、本発明の位置決め用部材において、取り付け位置表示部を切り欠き部とした場合、設置固定用治具を切り欠き部に嵌め込むことにより、容易かつ確実に設置固定用治具を、例えば、背面の壁体（吊り戸棚の横の壁面）上の所定の位置などに、直接に取り付けることが可能になり、本発明をより実効あらしめることが可能になる。
【００２２】
また、設置固定用治具を、取付位置表示部により表示された位置に予め取り付けておくようにした場合、位置決め用部材を吊り戸棚の横にセットした後、直ちに設置固定用治具を、さらに容易かつ確実に、例えば、背面の壁体（吊り戸棚の横の壁面）上の所定の位置などに取り付けることが可能になり、本発明をより実効あらしめることができる。
【００２３】
また、本発明の位置決め用部材において、設置固定用治具を、切り欠き部に粘着テープを用いて取り付けるようにした場合、設置固定用治具を備えた構成の位置決め用部材を容易に形成することが可能になるとともに、設置固定用治具を備えた位置決め用部材を吊り戸棚の横にセットした後、粘着テープを剥がすだけで、直ちに設置固定用治具を戸棚の横の壁面などに取り付けることが可能になり、より確実に、さらに容易に設置固定用治具の取り付けを行うことが可能になる。
【００２４】
また、本発明の設置固定用治具は、位置決め用部材により位置決めされ、治具固定手段によりその位置に固定された状態で、レンジフードが備える係合部と係合することにより、レンジフードを仮止め保持する係止部を備え、仮止め保持した状態のレンジフードを、吊り戸棚との関係において、所定の垂直方向位置に保ちつつ、水平方向の位置調整を行うことができるような態様で、上記係止部とレンジフードの係合部とが係合するように構成されているので、例えば、吊り戸棚とレンジフードの下端を合わせてレンジフードを設置固定用治具に仮止めし、この仮止め状態のレンジフードを水平方向に移動させて、レンジフードと隣り合う吊り戸棚との間に形成される隙間の幅を調節することが可能になり、レンジフードを、容易かつ確実に、美しく設置することができる。
【００２５】
また、本発明のレンジフードの設置固定方法は、本発明の位置決め用部材により位置決めされ、所定の位置に固定された本発明の設置固定用治具の係止部に、レンジフードが備える係合部を係合させ、レンジフードを、吊り戸棚との関係において、所定の垂直方向位置を保ちつつ、水平方向の位置調整を行うことができるような態様で仮止め保持し、レンジフードの水平方向位置を調整して位置決めを行い、位置決めされたレンジフードを、本体固定手段によりその位置に固定するようにしているので、レンジフードと隣り合う吊り戸棚との間に形成されることになる間隙の幅を容易かつ確実に調節することが可能で、美観に優れたレンジフードの設置を行うことが可能になる。
【図面の簡単な説明】
【００２６】
【図１】本発明にかかる設置固定用治具を用いて設置固定する対象となるレンジフードの構成を示す要部を断面とした正面図である。
【図２】本発明の実施形態（実施形態１）にかかる位置決め用部材の構成を示す正面図である。
【図３】本発明の実施形態１において用いられている設置固定用治具を示す図であり、（ａ）は正面図、（ｂ）は側面断面図である。
【図４】本発明の実施形態１におけるレンジフードの設置固定方法の一工程を示す正面図である。
【図５】本発明の実施形態１におけるレンジフードの設置固定方法の他の工程を示す正面図である。
【図６】本発明の実施形態１におけるレンジフードの設置固定方法のさらに他の工程を示す図である。
【図７】本発明の実施形態１におけるレンジフードの背面の壁体への固定方法を説明する平面図である。
【図８】本発明の実施形態１にかかる設置固定方法でレンジフードが設置固定された状態を示す図である。
【図９】本発明の実施形態１の他のレンジフードの設置固定方法の一工程を示す図である。
【図１０】本発明の実施形態１の他のレンジフードの設置固定方法の、他の工程を示す図である。
【図１１】本発明の実施形態１の他のレンジフードの設置固定方法の、さらに他の工程を示す図である。
【図１２】本発明の実施形態１の他の設置固定方法でレンジフードが設置固定された状態を示す図である。
【図１３】本発明の他の実施形態（実施形態２）で用いた設置固定用治具の構成を示す図であって、（ａ）は平面図、（ｂ）は正面図、（ｃ）は側面図である。
【図１４】本発明の実施形態２で用いたレンジフードのフランジ部の構成を示す図であって、（ａ）は平面図、（ｂ）は正面図、（ｃ）は側面図である。
【図１５】本発明の実施形態２における、設置固定用治具とフランジ部の係合状態を示す図であって、（ａ）は平面図、（ｂ）は正面図、（ｃ）は側面図である。
【図１６】従来のレンジフード取付装置を示す正面図である。
【発明を実施するための形態】
【００２７】
以下、本発明の実施形態を示して、その特徴とするところをさらに詳しく説明する。
なお、一般に、レンジフードは台所において、吊り戸棚と水平方向に隣り合うようにして設置されることが多い。そして、その場合、レンジフードの下端、つまり、フード部の下端位置と、隣接する吊り戸棚の下端位置とを、垂直方向（上下方向）に揃えて設置することで設置後の美観を向上させることができる。以下の実施形態では、レンジフードの下端位置を隣り合う吊り戸棚の下端位置と垂直方向（上下方向）に揃えて設置する場合を例にとって説明する。
【００２８】
［実施形態１］
この実施形態１におけるレンジフード１０は、図１に示すように、吸い込み部を有する排気用ファン１と、排気用ファンを駆動するモータ７と、排気用ファン１を収容するケーシング２とフード部３とを備えている。なお、この実施形態１では、排気用ファン１として、遠心ファンが用いられている。
【００２９】
ケーシング２の下面側には、下方に開口した排気用吸い込み口２ａが形成されており、排気用ファン１の吸い込み部１ａが排気用吸い込み口２ａと連通している。
【００３０】
排気用ファン１の吹き出し部１ｂにエルボ４を介して接続された排気出口５は居室外に延長して敷設された排気ダクト６に適宜接続されている。排気用吸い込み口２ａから吸引された居室内の空気は、排気ダクト６を経て、居室外に排気される。
なお、この実施形態１ではレンジフード１０を構成するフード部３の左右の幅Ｗ１は５９９ｍｍとされている。
【００３１】
次に、上記レンジフード１０を、以下に説明するような位置決め用部材２０（図２）を用いて、吊り戸棚と水平方向に隣り合うように設置する方法について説明する。
【００３２】
図２は、本発明の実施形態にかかる位置決め用部材２０を示す図である。この位置決め用部材２０は、剛性を有する紙系材料（例えば、ボール紙や、段ボール紙など）を用いて形成されたシート状の部材である。
【００３３】
図２に示すように、位置決め用部材（位置決め用型紙）２０の主要部である部材本体（型紙本体）２１は、略矩形で幅広に形成されている。部材本体２１の幅Ｗ２（水平方向の寸法）は、上記フード部３の左右の幅Ｗ１と同じに構成されており、Ｗ１，Ｗ２はいずれも５９９ｍｍである。
【００３４】
そして、部材本体２１の左右両側の下部には、当接部２２（２２ａ，２２ｂ）が水平方向に突出するように配設されている。なお、当接部２２（２２ａ，２２ｂ）は、長寸の帯状部とされており、その長さ（水平方向の寸法）は、部材本体２１の水平方向寸法の５０％以上とされており、この実施形態１では約３２０ｍｍとされている。
【００３５】
また、長寸の帯状部として構成された当接部２２（２２ａ，２２ｂ）は、部材本体２１に近い位置に、切り離し予備加工として、切り込み２３を設ける加工が施され、切り込み２３が設けられた位置より先端側部分を容易に切り離すことができるように構成されている。
【００３６】
また、位置決め用部材２０には、レンジフード１０を設置固定するための設置固定用治具３０を取り付けるべき位置を表示する取付位置表示部２４が設けられている。なお、ここでは、取付位置表示部２４として、設置固定用治具３０が嵌り込む矩形の切り欠き部が設けられている。
そして、この切り欠き部（取付位置）２４には、レンジフード１０を設置固定するための設置固定用治具３０が、粘着テープ３５より着脱可能に取り付けられている。
【００３７】
また、設置固定用治具３０は、図３（ａ），（ｂ）に示すように、本体フランジ部１１の係止部（この実施形態１では係止孔）１２（図１，図６）と係合して、レンジフード１０を係止・保持するための一対の係止部（この実施形態１では切り起こし片）３１と、設置固定用治具３０を背面の壁体３４に固定するための治具固定手段（治具固定ねじ）３２を通過させる治具固定用孔３３とを備えている。
【００３８】
次に、この位置決め用部材（位置決め用型紙）２０を用いて、吊り戸棚と水平方向に隣り合うようにレンジフード１０を設置する方法について説明する。
【００３９】
＜１＞１本の吊り戸棚に隣り合うようにレンジフードを設置する場合
図４に示すように、１本の吊り戸棚４１の左側に隣り合うようにレンジフード１０を設置する場合、位置決め用部材（位置決め用型紙）２０の右側の当接部２２（２２ｂ）における左右に離間した２点、例えば、図４の点Ａで示す位置および点Ｂで示す位置を吊り戸棚４１の下端と当接させることで、位置決め用部材（位置決め用型紙）２０と、吊り戸棚４１（の下端）との垂直方向位置が定まる。
【００４０】
なお、図２に示した位置決め用部材（位置決め用型紙）２０は、左右に一対の当接部２２（２２ａ，２２ｂ）を備えているが、図４に示すように、１本の吊り戸棚４１の左側に位置するようにレンジフード１０を設置する場合、左側の当接部２０（２２ａ）は不要になる。その場合、左側の当接部２２（２２ａ）を基端部から前方に屈曲させておくことにより、壁面との干渉を回避することができる。
【００４１】
この状態で、設置固定用治具３０の、治具固定用孔３３を経て、治具固定手段である治具固定ねじ３２を、背面の壁体３４にねじ込むことにより、設置固定用治具３０を背面の壁体３４に固定する。
【００４２】
それから、粘着テープ３５を剥がすことにより、図５に示すように、設置固定用治具３０が、吊り戸棚４１の下端との関係で所定の垂直方向位置を保った状態で、治具固定ねじ３２によって背面の壁体３４に固定された状態となる。
なお、ここでは、レンジフード１０の左側に位置する壁体（壁面）４３と吊り戸棚４１の間の空間（隙間）の幅（水平方向の寸法）Ｇ１は、フード部３の左右の幅Ｗ１（５９９ｍｍ）よりも４ｍｍ広い６０３ｍｍとなるように調整している。
【００４３】
なお、左の壁体４３と吊り戸棚４１の間の空間の幅を上述のような所定の寸法とすることは、予めレンジフード１０の取り付け工事説明書に記載されていることが望ましい。
【００４４】
次に、図５に示すように、吊り戸棚４１の下端との垂直方向の位置関係を保った状態で、治具固定ねじ３２によって背面の壁体３４に固定されたに設置固定用治具３０の一対の係止部（切り起こし片）３１を、レンジフード１０のケーシング２の後部上端の本体フランジ１１に設けられた一対の係止部（この実施形態１では係止孔）１２（図１、図６参照）に挿通させてレンジフード１０を保持する。
【００４５】
これにより、図６に示すように、レンジフード１０（詳しくはフード部３）の下端と、吊り戸棚４１の下端とが、所定の垂直方向の位置関係が保たれた状態で、レンジフード１０を水平方向に移動させることが可能な状態、すなわち、レンジフード１０が設置固定用治具３０に仮止めされた仮止め状態に至る。
【００４６】
そして、レンジフード１０が水平方向に移動可能な仮止め状態において、レンジフード１０のフード部３と吊り戸棚４１の間隔、および、レンジフード１０のフード部３と左側に位置する壁体４３との間隔を調整した後、レンジフード１０の本体フランジ１１に穿設された本体固定用孔８に本体固定用ねじ９（図７）を挿通してレンジフード１０を背面の壁体３４に固定する。
【００４７】
なお、図６に示すように、レンジフード１０が設置固定用治具３０に仮止めされた仮止め状態で、正面視において設置固定用治具３０と重なる部分である、レンジフード１０の本体フランジ１１は、図７に示すように、設置固定用治具３０の板厚分だけ前方に位置するように、段部１１ａを有する構成とされており、本体固定用孔８に本体固定用ねじ９を挿通してレンジフード１０を背面の壁体３４に固定したときに、本体固定用孔８の周辺部分が背面の壁体３４に当接し、レンジフード１０が背面の壁体３４に堅固に固定できるように構成されている。なお、図７は、フード部３、エルボ４、排気出口５などを省略した平面図である。
【００４８】
それから、図６に示す状態から、図８に示すように、フード部３の上側を覆うカバー体５１を、レンジフード１０のケーシング２の前面側に取り付ける。これにより、レンジフード１０の設置が完了する。
【００４９】
本発明によれば、上述のようにして、レンジフード１０を、容易かつ確実に、その下端（フード部３の下端）と吊り戸棚４１の下端とが揃った状態で背面の壁体３４に堅固に、美観を損なうことなく設置することができる。
なお、吊り戸棚の右に隣接してレンジフードを設置する場合も同様の方法で、美観を損なうことなく設置することができる。
【００５０】
＜２＞２本の吊り戸棚の間の空間にレンジフードを設置する場合
上記＜１＞では１本の吊り戸棚に隣り合うようにレンジフードを設置する場合について説明したが、ここでは、２本の吊り戸棚の間の空間にレンジフードを設置する場合について説明する。
【００５１】
上記＜１＞の１本の吊り戸棚４１に隣り合うようにレンジフード１０を設置する場合においては、図２に示すように、位置決め用部材２０の当接部２２（２２ａ，２２ｂ）を、長寸の帯状部として構成し、１本の吊り戸棚４１に隣り合うようにレンジフード１０を設置する場合には必要のない左側の当接部２２（２２ａ）を基端部から前方に屈曲させておくことにより、壁面との干渉を回避するようにしたが、図１１に示すように、２本の吊り戸棚４１（４１ａ，４１ｂ）の間の空間にレンジフード１０を設置する場合には、図２に示した位置決め用部材２０において、部材本体２１の左右に配設された一対の当接部２２（２２ａ，２２ｂ）はいずれも必要となる。
【００５２】
その一方で、一対の当接部２２（２２ａ，２２ｂ）のそれぞれが、レンジフード１０の左右両側に位置する２本の吊り戸棚４１（４１ａ，４１ｂ）の下端に当接するため、当接部２２（２２ａ，２２ｂ）が長寸に構成されている必要がない。
そこで、この＜２＞の２本の吊り戸棚４１（４１ａ，４１ｂ）の間の空間にレンジフード１０を設置する場合においては、図９に示すように、長寸の帯状部として構成された当接部２２（２２ａ，２２ｂ）の、切り込み（切り離し予備加工）２３（図２参照）が施された位置で、当接部２２（２２ａ，２２ｂ）の該位置より先端側の部分を切り離して用いることにより、長寸の帯状部として構成した当接部２２（２２ａ，２２ｂ）の先端側の部分が邪魔にならず、レンジフード１０を設置する際の作業性が向上するようにした。
【００５３】
すなわち、この＜２＞では、２本の吊り戸棚４１（４１ａ，４１ｂ）の間の空間にレンジフード１０を設置するにあたって、図９に示すように、切り込み（切り離し予備加工）２３が施された位置より先端側の部分を切り離した当接部２２（２２ａ，２２ｂ）を、左右の吊り戸棚４１（４１ａ，４１ｂ）の下端と当接させることにより、位置決め用部材（位置決め用型紙）２０と吊り戸棚４１（４１ａ，４１ｂ）の下端との垂直方向位置が定まった状態となるようにした。
【００５４】
この状態で、治具固定用孔３３を挿通させた治具固定ねじ３２により設置固定用治具３０を背面の壁体３４に固定し、粘着テープ３５を剥がすことで、図１０に示すように、設置固定用治具３０が、左右の吊り戸棚４１（４１ａ，４１ｂ）のそれぞれの下端との垂直方向の位置関係を保った状態で、治具固定ねじ３２によって背面の壁体３４に固定された状態となる。
【００５５】
なお、２本の吊り戸棚４１（４１ａ，４１ｂ）の間の空間にレンジフード１０を設置する場合、左右の吊り戸棚４１（４１ａ，４１ｂ）の間の空間の幅（水平方向の寸法）Ｇ２は、フード部３の左右の幅Ｗ１（５９９ｍｍ）よりも４ｍｍ広い６０３ｍｍとなるようにしている。なお、左右の吊り戸棚４１（４１ａ，４１ｂ）の間の空間の幅を上述のような所定の寸法とすることは、予めレンジフード１０の取り付け工事説明書に記載されていることが望ましい。
【００５６】
それから、図１０に示すように、吊り戸棚４１の下端との垂直方向の位置関係を保った状態で、治具固定ねじ３２によって背面の壁体３４に固定されたに設置固定用治具３０の係止部（切り起こし片）３１を、レンジフード１０の上端に設けられた本体フランジ部に形成された係止孔１２（図１１参照）に挿通させてレンジフード１０を係止・保持する。
【００５７】
これにより、図１１に示すように、レンジフード１０（のフード部３）の下端と、左右両側の吊り戸棚４１（４１ａ，４１ｂ）の下端とが、所定の垂直方向の位置関係に保たれた状態で、レンジフード１０を水平方向に移動させることが可能な状態、すなわち、レンジフード１０が設置固定用治具３０に仮止めされた仮止め状態に至る。
【００５８】
そして、レンジフード１０が水平方向に移動可能な仮止め状態において、レンジフード１０のフード部３と吊り戸棚４１（４１ａ，４１ｂ）の間隔を調整した後、レンジフード１０のケーシング２の後部上端に具備する本体フランジ１１に穿設された本体固定用孔８に本体固定用ねじを挿通してレンジフード１０を背面の壁体３４に固定する。
【００５９】
なお、２本の吊り戸棚４１（４１ａ，４１ｂ）の間の空間にレンジフード１０を設置するこの＜２＞の場合においても、図１１に示すようにレンジフード１０が設置固定用治具３０に仮止めされた仮止め状態で、正面視において設置固定用治具３０と重なる部分である、レンジフード１０の本体フランジ１１は、図７に示すように、設置固定用治具３０の板厚分だけ前方に位置するように、段部１１ａを有する構成とされており、本体固定用孔８に本体固定用ねじ９を挿通してレンジフード１０を背面の壁体３４に固定したときに、本体固定用孔８の周辺部分が背面の壁体３４に当接し、レンジフード１０が背面の壁体３４に堅固に固定できるように構成されている。
【００６０】
それから、図１２に示すように、フード部３の上側を覆うカバー体５１を、レンジフード１０のケーシング２の前面側に取り付ける。
これにより、レンジフード１０の設置が完了する。
【００６１】
上述のように、本発明によれば、レンジフード１０を、２本の吊り戸棚４１（４１ａ，４１ｂ）の間の空間に設置する場合にも、容易かつ確実に、レンジフード１０を、その下端（フード部３の下端）と吊り戸棚４１（４１ａ，４１ｂ）の下端とが揃った状態で背面の壁体３４に堅固に、美観を損なうことなく設置することができる。
【００６２】
なお、この実施形態１では、位置決め用部材として、紙系材料（例えば、ボール紙や、段ボール紙など）を用いて形成された位置決め用部材を用いたが、樹脂系材料からなるものを用いることも可能であり、また、紙系材料と樹脂系材料を組み合わせて用いた位置決め用部材を用いることも可能である。
【００６３】
［実施形態２］
この実施形態２は、レンジフードの本体フランジおよび設置固定用冶具として、前述の実施形態１の場合と異なる形態のものを用いているが、その他の基本的な構成は上記実施形態１の場合と同様である。
【００６４】
この実施形態２の構成を説明するにあたっては、レンジフードや吊り戸棚などを含む全体の構成については、上記実施形態１を説明するために用いた図１〜図１２を参照し、符号についても図１〜図１２において用いられている符号を用いて説明する。そして、実施形態２に特有の構成、すなわち、設置固定用治具およびレンジフードの本体フランジの構成およびその係止状態などについては、図１３〜１５を参照しつつ説明する。
【００６５】
この実施形態２では、設置固定用治具３０として、図１３（ａ），（ｂ），（ｃ）に示すように、レンジフードの本体フランジ部１１の係止部（この実施形態２では係止孔）１２と係合して、レンジフードを係止・保持するための一対の係止部（この実施形態２では切り起こし片）３１と、設置固定用治具３０を背面の壁体３４（図７参照）に固定するための治具固定手段（治具固定ねじ）（図示せず）を通過させる治具固定用孔３３と、レンジフード１０を固定するための本体固定ネジを通過させるための長孔３６を備えている。
【００６６】
また、レンジフード１０のケーシング２の後部上端に具備するフランジ部Ｆは、図１４（ａ），（ｂ），（ｃ）に示すように、垂直部分である本体フランジ１１と、水平部分である、レンジフード１０に接続固定される固定部１３とを備えている。そして、固定部１３に対して垂直に曲折された本体フランジ１１には、上述の設置固定用治具３０に形成された係止部（切り起こし片）３１と係合して、レンジフード１０を係止・保持させる一対の係止部（この実施形態２では係止孔）１２と、設置固定用治具３０を背面の壁体３４に固定する本体固定用ねじ９のねじ頭９ａ（図７参照）と、本体フランジ１１とが干渉しないように、ねじ頭を逃がすためのねじ頭逃がし窓１４が形成されている。
【００６７】
なお、上記設置固定用治具３０に設けた長孔３６の水平方向寸法は、レンジフード１０が設置固定用治具３０に仮止めされた仮止め状態において、レンジフード１０を水平方向に移動させたときにも、上述の本体フランジ１１に設けた本体固定用孔８に挿通された本体固定用ねじ９（図７参照）を、上記長孔３６を挿通させることが可能になるような寸法とされている。
【００６８】
また、図１５（ａ），（ｂ），（ｃ）は、上述のように構成された設置固定用治具３０を、レンジフード１０の本体フランジ部１１とを係合させた状態を示す図である。
この実施形態２において、設置固定用治具３０を介して、レンジフード１０を背面の壁体３４に固定するにあたっては、設置固定用治具３０を、治具固定ねじ３２（図５，６など参照）によって背面の壁体３４に固定した後、図１５（ａ），（ｂ），（ｃ）に示すように、設置固定用治具３０の一対の係止部３１を、レンジフード１０の本体フランジ１１に設けられた一対の係止孔１２（図１４参照）に挿通させてレンジフード１０を保持する。
【００６９】
これにより、レンジフード１０（詳しくはフード部３）の下端と、吊り戸棚４１の下端とが、所定の垂直方向の位置関係が保たれ、かつ、レンジフード１０を水平方向に移動させることが可能な状態、すなわち、レンジフード１０が設置固定用治具３０に仮止めされた仮止め状態に至る。
【００７０】
そして、レンジフード１０の水平方向の位置を調整した後、本体フランジ１１に穿設された本体固定用孔８および設置固定用治具３０に形成された長孔３６に本体固定用ねじ９（図７）を挿通してレンジフード１０を背面の壁体３４に固定する。
【００７１】
これにより、レンジフード１０の下端（フード部３の下端）と吊り戸棚４１の下端とが揃った状態でレンジフード１０が、本体フランジ１１と背面の壁体３４との間に、設置固定用治具３０を挟み込んで、背面の壁体３４に堅固に設置固定される。
【００７２】
この実施形態２の構成においては、本体フランジ１１の形状を、段部のない平坦な構造とすることが可能になることから、本体フランジ１１を含むフランジ部Ｆの構造を簡略化して、コストの低減を図ることができる。
【００７３】
特に、図１５（ｃ）に示すように、本体フランジ１１を側面視Ｌ字状に形成し、ケーシング２に固定する固定部１３を本体フランジ１１から前方に延設するようにした場合、本体フランジ１１を含むフランジ部Ｆの製作を容易にすることができる。
【００７４】
なお、本発明は上記の実施形態に限定されるものではなく、例えば、設置固定用治具に設けられる係止部や、フランジ本体に設けられる係止部の構成などをはじめ、種々の構成要素に関し、本発明の範囲内において種々の変形を加えることが可能である。
【符号の説明】
【００７５】
１        排気用ファン
１ａ      排気用ファンの吸い込み部
１ｂ      排気用ファンの吹き出し部
２        ケーシング
２ａ      ケーシングの排気用吸い込み口
３        フード部
４        エルボ
５        排気出口
６        排気ダクト
７        モータ
８        本体固定用孔
９        本体固定用ねじ
９ａ      ねじ頭
１０      レンジフード
１１      レンジフードのケーシングの後部上端の本体フランジ
１１ａ    段部
１２      本体フランジ部の係止部（係止孔）
１３      固定部
１４      ねじ頭逃がし窓
２０      位置決め用部材
２１      部材本体
２２（２２ａ，２２ｂ）    当接部
２３      切込み（切り離し予備加工）
２４      切り欠き部（取付位置表示部）
３０      設置固定用治具
３１      設置固定用治具の係止部（切り起こし片）
３２      治具固定手段（治具固定ねじ）
３３      治具固定用孔
３４      背面の壁体
３５      粘着テープ
３６      長孔
４１（４１ａ，４１ｂ）    吊り戸棚
４３      レンジフードの左側に位置する壁体（壁面）
５１      カバー体
Ｆ        フランジ部
Ｇ１      左側の壁体と吊り戸棚の間の空間の幅（水平方向の寸法）
Ｇ２      左右の吊り戸棚の間の空間の幅（水平方向の寸法）
Ｗ１      フード部の左右の幅
Ｗ２      部材本体の幅
【図１】
2014173796.tif 000003
【図２】
2014173796.tif 000004
【図３】
2014173796.tif 000005
【図４】
2014173796.tif 000006
【図５】
2014173796.tif 000007
【図６】
2014173796.tif 000008
【図７】
2014173796.tif 000009
【図８】
2014173796.tif 000010
【図９】
2014173796.tif 000011
【図１０】
2014173796.tif 000012
【図１１】
2014173796.tif 000013
【図１２】
2014173796.tif 000014
【図１３】
2014173796.tif 000015
【図１４】
2014173796.tif 000016
【図１５】
2014173796.tif 000017
【図１６】
2014173796.tif 000018